(57)【要約】【課題】掃除のしやすいフィルターを提供する。【解決手段】フィルターは、溝１３を有するフィルター枠８と、溝１３に嵌合する突起部分１２を有し、該突起部分１２を溝１３に嵌合させることでフィルター枠８に取り付けられるプリーツ状のフィルターネット７とを備える。フィルターネット７は、フィルターシャフト１１と、フィルターシャフト１１と一体化されたネット部１７Ａおよびネット部１７Ｂと、ネット部１７Ａ，１７Ｂと各々一体化されたフィルター枠縁１８Ａおよびフィルター枠縁１８Ｂとを含む。フィルター枠縁１８Ａ，１８Ｂは、フィルターネット７をプリーツ状から平面状に変形させるとともに、平面状からプリーツ状に戻すことが可能となるように、各々、フィルターシャフト１１に対して回動可能に設けられる。【選択図】図７
2012148259.tif 000002
【特許請求の範囲】
【請求項１】
溝部を有するフィルター枠と、
前記溝部に嵌合する突起部を有し、該突起部を前記溝部に嵌合させることで前記フィルター枠に取り付けられるプリーツ状のフィルターネットとを備え、
前記フィルターネットは、
シャフトと、
前記シャフトと一体化された第１ネット部および第２ネット部と、
前記第１ネット部および前記第２ネット部と各々一体化された第１枠縁部材および第２枠縁部材とを含み、
前記第１枠縁部材および前記第２枠縁部材は、前記フィルターネットをプリーツ状から平面状に変形させるとともに、平面状からプリーツ状に戻すことが可能となるように、各々、前記シャフトに対して回動可能に設けられる、フィルター。
【請求項２】
前記フィルターネットは、前記第１枠縁部材および前記第２枠縁部材に各々取り付けられた第１側面部材および第２側面部材をさらに含み、
前記フィルターネットがプリーツ状とされたときには、前記第１側面部材および前記第２側面部材が当接して前記フィルターネットの形状が規定され、
前記フィルターネットがプリーツ状とされたときには、前記第１側面部材および前記第２側面部材は、前記フィルターネットの側部において、プリーツの山部に位置する隙間を閉じる、請求項１に記載のフィルター。
【請求項３】
前記フィルターネットは、プリーツの山部または谷部に設けられ、前記第１枠縁部材と前記第２枠縁部材との間の隙間をシールするシール部材をさらに含む、請求項１または請求項２に記載のフィルター。
【請求項４】
前記シール部材はシート状の樹脂部材で構成され、前記フィルターネットの変形に追随可能である、請求項３に記載のフィルター。
【請求項５】
前記フィルター枠は、前記溝部が設けられていない一辺を有し、
前記フィルター枠における前記溝部が設けられていない一辺を開閉することにより、前記フィルターネットが前記フィルター枠に取り外し自在に取付けられる、請求項１から請求項４のいずれかに記載のフィルター。
【発明の詳細な説明】
【技術分野】
【０００１】
本発明は、フィルターに関し、特に、プリーツ状に折り曲がるフィルターネット部を有するフィルターに関する。
【背景技術】
【０００２】
空気調和機に用いられるフィルターとして、プリーツ状に折り曲げられたフィルターネット部と、フィルターネット部の周縁を囲むフィルター枠とを含むものが従来から知られている。
【０００３】
このようなフィルターは、たとえば、特開２００３−５３１１６号公報（特許文献１）、特開２０００−１３０８３５号公報（特許文献２）および特開２００３−１８１２２３号公報（特許文献３）に示されている。
【０００４】
また、特開２００８−１８１３２号公報（特許文献４）には、プリーツ状のフィルターを電気掃除機に取り付けることが示されている。
【先行技術文献】
【特許文献】
【０００５】
【特許文献１】特開２００３−５３１１６号公報
【特許文献２】特開２０００−１３０８３５号公報
【特許文献３】特開２００３−１８１２２３号公報
【特許文献４】特開２００８−１８１３２号公報
【発明の概要】
【発明が解決しようとする課題】
【０００６】
プリーツ状のフィルターに埃等が溜まって掃除が必要なとき、プリーツの谷部では埃を取り除くのが容易でない場合がある。
【０００７】
本発明は、上記のような問題に鑑みてなされたものであり、本発明の目的は、掃除のしやすいフィルターを提供することにある。
【課題を解決するための手段】
【０００８】
本発明に係るフィルターは、溝部を有するフィルター枠と、溝部に嵌合する突起部を有し、該突起部を溝部に嵌合させることでフィルター枠に取り付けられるプリーツ状のフィルターネットとを備える。フィルターネットは、シャフトと、シャフトと一体化された第１ネット部および第２ネット部と、第１ネット部および第２ネット部と各々一体化された第１枠縁部材および第２枠縁部材とを含む。第１枠縁部材および第２枠縁部材は、フィルターネットをプリーツ状から平面状に変形させるとともに、平面状からプリーツ状に戻すことが可能となるように、各々、シャフトに対して回動可能に設けられる。
【０００９】
１つの実施態様では、上記フィルターにおいて、フィルターネットは、第１枠縁部材および第２枠縁部材に各々取り付けられた第１側面部材および第２側面部材をさらに含む。フィルターネットがプリーツ状とされたときには、第１側面部材および第２側面部材が当接してフィルターネットの形状が規定される。フィルターネットがプリーツ状とされたときには、第１側面部材および第２側面部材は、フィルターネットの側部において、プリーツの山部に位置する隙間を閉じる。
【００１０】
１つの実施態様では、上記フィルターにおいて、フィルターネットは、プリーツの山部または谷部に設けられ、第１枠縁部材と第２枠縁部材との間の隙間をシールするシール部材をさらに含む。
【００１１】
１つの実施態様では、上記フィルターにおいて、シール部材はシート状の樹脂部材で構成され、フィルターネットの変形に追随可能である。
【００１２】
１つの実施態様では、上記フィルターにおいて、フィルター枠は、溝部が設けられていない一辺を有し、フィルター枠における溝部が設けられていない一辺を開閉することにより、フィルターネットがフィルター枠に取り外し自在に取付けられる。
【発明の効果】
【００１３】
本発明によれば、掃除のしやすいフィルターを提供することができる。
【図面の簡単な説明】
【００１４】
【図１】本発明の１つの実施の形態に係るフィルターが装着される空気清浄機の正面側斜視図である。
【図２】図１に示す空気清浄機の背面側斜視図である。
【図３】図１に示す空気清浄機の背面側分解斜視図である。
【図４】本発明の１つの実施の形態に係るフィルターの斜視図である。
【図５】図４に示すフィルターにおけるフィルター枠の斜視図である。
【図６】図５に示すフィルター枠の一辺を開いた上体を示す図である。
【図７】図４に示すフィルターにおけるフィルターネットの斜視図である。
【図８】図７に示すフィルターネットの正面図である。
【図９】図７に示すフィルターネットの側面図である。
【図１０】図５、図６に示すフィルター枠の正面図である。
【図１１】図１０におけるＸI−ＸI断面図である。
【図１２】図７における「１５」部の拡大図である。
【図１３】図７における「１６」部の拡大図である。
【発明を実施するための形態】
【００１５】
以下に、本発明の実施の形態について説明する。なお、同一または相当する部分に同一の参照符号を付し、その説明を繰返さない場合がある。
【００１６】
なお、以下に説明する実施の形態において、個数、量などに言及する場合、特に記載がある場合を除き、本発明の範囲は必ずしもその個数、量などに限定されない。また、以下の実施の形態において、各々の構成要素は、特に記載がある場合を除き、本発明にとって必ずしも必須のものではない。
【００１７】
図１は、本実施の形態に係るフィルターが装着される空気清浄機の正面側斜視図である。図２、図３は、各々、図１に示す空気清浄機の背面側斜視図、背面側分解斜視図である。
【００１８】
図１〜図３を参照して、空気清浄機１の全体的な構成を説明する。空気清浄機は、備え付けの電気機器であり、上面パネル２と、フィルター３と、ケーシング４と、把手部５と、表示部６とを含む。本体ケーシング４は、前面パネル４Ａと、後面キャビネット４Ｂとを含む。
【００１９】
本体ケーシング４の上面には、上面パネル２が設けられている。上面パネル２には、運転スイッチや切り替えスイッチ、並びに各種操作ボタンを有する操作部と、表示部６とが設置されている。表示部６は、ＬＥＤを用いてなる複数個のランプにより、夫々の運転モードを示す。
【００２０】
本体ケーシング４の側面には、把手部５が設けられている。把手部５は、空気清浄機１を持ち上げて搬送する際の利便性を考慮して設けられたものである。
【００２１】
次に、図４（フィルター３の斜視図）を参照しつつ、本実施の形態に係るフィルターをどのように空気清浄機１で使用するのかを説明する。
【００２２】
空気清浄機１は、フィルター３を通過させることで、吸込まれた空気から室内のほこりを集塵し、空気を浄化する構造である。
【００２３】
図４に示すように、フィルター３は、フィルターネット７をフィルター枠８に装着した構造を有する。実際に空気清浄機１でフィルター３を使用する際は、フィルターネット７とフィルター枠８とが一体化した、図４に示す形状で使用する。なお、この時、フィルターネット７はプリーツ状に形成されている。フィルター３を空気清浄機１の後面キャビネット４Ｂに装着（図３参照）して使用する。
【００２４】
空気清浄機１を所定時間以上使用すると、フィルター３にほこりが付着し、フィルター３を清掃する必要が生じる。その際、空気清浄機１の後面キャビネット４Ｂからフィルター３を取り外す。ほこりの付着量が少ない場合には、フィルター３を空気清浄機１に取り付けたまま、掃除機等でほこりを吸込む方法もある。
【００２５】
プリーツ状の谷部にほこりが詰まってしまい、掃除機等ではなかなかほこりを除去できない場合は、フィルター３を空気清浄機１から取り外し、フィルター３の清掃を行なう。
【００２６】
次に、図５および図６を参照しつつ、フィルター３をどのように清掃するかを説明する。
【００２７】
図５は、フィルター枠８の斜視図である。フィルター３を清掃する際は、まず、フィルター３を空気清浄機１の後面キャビネット４Ｂから取り外す。フィルター枠８には、図６に示すように、フィルター周回を囲う矩形のフィルター枠８の一辺９が開く機構を設けている。このフィルター枠８の一辺９は、フィルターネット７を周回している連絡フィルター枠辺の片方と蝶番、もしくは上記一辺９を自在に開ける他の方法で接続され、その構造により、フィルターネット７をフィルター枠８から取り外すことが可能となる。フィルター３を空気清浄機１より取り外したあとで、フィルター枠８の一辺９を、図６に示すように開き、フィルターネット７をフィルター枠８より取り外し、フィルター枠８とフィルターネット７を別々の部品に分解する。
【００２８】
図７は、フィルターネット７の斜視図である。図７に示すように、フィルター枠８から取り外したフィルターネット７はプリーツ状であり、プリーツ状のフィルターネット７の谷部（図４中の「１０」）にほこりが詰まってしまうと、非常に清掃しにくい。本実施の形態では、フィルターネット７の両端を持ち、両側に引っ張ることで、フィルターネット７はプリーツ状から平面形状へと変形する。平面形状となったフィルターネット７に対して、掃除機をかけるなどして、ほこりを除去する。
【００２９】
フィルターネット７清掃後は、フィルターネット７を平面形状からプリーツ状に形状変化させる。フィルターネット７の両端を持ち、中心へ押し込むようにフィルターネット７をプリーツ状へ変形させる。プリーツ状となった、フィルターネット７は、フィルター枠８に装着される。
【００３０】
フィルターネット７とフィルター枠８とが一体となったフィルター３を空気清浄機１の後面キャビネット４Ｂに取り付け、清掃作業を終了する。
【００３１】
次に、図７とともに図８〜図１１を参照して、フィルター３の機構、構造を説明する。図８、図９は、各々、フィルターネット７の正面図、側面図である。図１０は、フィルター枠８の正面図であり、図１１は、図１０におけるＸI−ＸI断面図である。
【００３２】
図８に示すように、フィルターネット７においては、フィルターシャフト１１の先端に突起部分１２が設けてある。
【００３３】
また、図１１に示すように、フィルター枠８には、コの字型の溝１３が設けられている。フィルターネット７をフィルター枠８から取り外す場合、またフィルターネット７をフィルター枠８へ取り付ける場合には、この突起部分１２をコの字型の溝１３に嵌合させた上でスライドさせる。
【００３４】
突起部分１２およびコの字型溝１３を設けることで、空気清浄機１の使用中に、フィルターネット７がフィルター枠８から外れることを防ぐことができる。また、フィルターネット７とフィルター枠８との分解、一体化をスムーズに行うことが可能となる。
【００３５】
図９に示すように、フィルター３には、側面樹脂成型部分１４が設けられている。側面樹脂成型部分１４は、実際に空気清浄機１を使用する時に、プリーツ状のフィルターネット７の側面からのほこりの侵入を防ぐために設けてある。樹脂部分１４を設けることで、空気清浄機１を使用する際に、空気の流入は図９中のＸ方向からのみ行われ、側面からは空気の流入がないような構造となる。
【００３６】
次に図１２、図１３を参照しつつ、フィルター３のプリーツ状から平面形状への形状変化、平面形状からプリーツ状への形状変化について説明する。
【００３７】
図１２は、図７におけるフィルターネットシャフト先端部分１５の拡大図である。また図１３は、図７におけるフィルターネット頂点部分１６の拡大図である。なお、図１３は、フィルターネット７が平面形状である状態を示す。
【００３８】
本実施の形態では、プリーツ状のフィルターネット７が平面形状へと形状変化し、さらに、平面形状のフィルターネット７がプリーツ状へと形状変化する。
【００３９】
図１２を参照して、フィルターネット７のネット部１７Ａ，１７Ｂは、フィルターシャフト１１と一体である。ネット部１７Ａ，１７Ｂは、各々、フィルター枠縁部分１８Ａ，１８Ｂとも一体である。
【００４０】
従来のプリーツ状フィルターは、平面形状への変形は行なわれないため、隣り合うプリーツの山の枠縁部分１８Ａ，１８Ｂは一体化されている。これに対し、本実施の形態におけるフィルター３では、プリーツ状から平面形状への形状変化を要するため、この部分は一体化されていない。本実施の形態では、枠縁部分１８Ａ，１８Ｂがフィルターシャフト１１に対して回動することにより、フィルターネット７が形状変化する。
【００４１】
さらに、図１２に示すように、フィルターネット７には、薄い樹脂部分(厚さ２ｍｍ程度)であるフィルター枠縁接合樹脂が設けられている。フィルター枠縁接合樹脂１９は、湾曲することが可能である。フィルター枠縁接合樹脂１９は、フィルター枠縁部分１８Ａ，１８Ｂを互いに繋ぐ役割を担っている。フィルター枠縁接合樹脂１９は、フィルターシャフト１１の上面半分を覆う形で、フィルターシャフト１１と繋がっている。
【００４２】
フィルター枠縁接合樹脂１９を薄い樹脂部分とすることにより、フィルターネット７の両端を左右方向に引っ張った時、フィルターがプリーツ状から平面上へと変形する機構が可能とされている。
【００４３】
図１３は、フィルターネット７をプリーツ状から平面形状へと変形させた状態を示す。フィルターネット７をプリーツ状から平面形状へと変形させるために、フィルターの両端を引っ張る。この時、フィルターネット７の側面に設けられた樹脂部分１４Ａ，１４Ｂは、真ん中から図１３中のＹ方向、Ｚ方向へと分断される構造を有する。
【００４４】
他方、フィルターネット７を平面形状からプリーツ状へと形状変化させた際には、樹脂部分１４の分割された面どうしが当たるため、プリーツ状時の山々のピッチ間隔は一定を保つことが可能になる。
【００４５】
フィルターネット７をプリーツ状から平面形状へと変形させた際、フィルターネット７のフィルター枠縁部分１８Ａ，１８Ｂにおいて、フィルターがプリーツ状の際、山の頂点に相当する部分のフィルター枠頂点部分２０は、フィルター枠縁接合薄樹脂１９と同様に、厚さ２ｍｍ程度の薄い樹脂で繋がっている。フィルター枠頂点部分２０を薄い樹脂で成形することで、フィルターネット７の形状変化を可能としている。
【００４６】
なお、フィルターネット７をプリーツ状から平面形状へ形状変化させた際には、フィルター枠頂点部分２０の端面同士が当接し、一定以上の平面形状への変化(反り返り等)を防ぐことが可能である。
【００４７】
上述した内容について要約すると、次のとおりとなる。すなわち、本実施の形態に係るフィルターは、溝１３を有するフィルター枠８と、溝１３に嵌合する突起部分１２を有し、該突起部分１２を溝１３に嵌合させることでフィルター枠８に取り付けられるプリーツ状のフィルターネット７とを備える。フィルターネット７は、フィルターシャフト１１と、フィルターシャフト１１と一体化された「第１ネット部」としてのネット部１７Ａおよび「第２ネット部」としてのネット部１７Ｂと、ネット部１７Ａ，１７Ｂと各々一体化された「第１枠縁部材」としてのフィルター枠縁１８Ａおよび「第２枠縁部材」としてのフィルター枠縁１８Ｂとを含む。フィルター枠縁１８Ａ，１８Ｂは、フィルターネット７をプリーツ状から平面状に変形させるとともに、平面状からプリーツ状に戻すことが可能となるように、各々、フィルターシャフト１１に対して回動可能に設けられる。
【００４８】
フィルターネット７は、フィルター枠縁１８Ａ，１８Ｂに各々取り付けられた「第１側面部材」としての側面樹脂成型部分１４Ａおよび「第２側面部材」としての側面樹脂成型部分１４Ｂを含む。フィルターネット７がプリーツ状とされたときには、側面樹脂成型部分１４Ａ，１４Ｂが当接してフィルターネット７の形状が規定される。フィルターネット７がプリーツ状とされたときには、側面樹脂成型部分１４Ａ，１４Ｂは、フィルターネット７の側部において、プリーツの山部に位置する隙間を閉じる。
【００４９】
フィルターネット７は、プリーツの谷部に設けられ、フィルター枠縁１８Ａ，１８Ｂとの間の隙間をシールする「シール部材」としてのフィルター枠縁接合樹脂１９をさらに含む。フィルター枠縁接合樹脂１９はシート状の樹脂部材で構成され、フィルターネット７の変形に追随可能である。同様のシール部材は、フィルター枠頂点部分２０にも設けられる。
【００５０】
以上、本発明の実施の形態について説明したが、今回開示された実施の形態はすべての点で例示であって制限的なものではないと考えられるべきである。本発明の範囲は特許請求の範囲によって示され、特許請求の範囲と均等の意味および範囲内でのすべての変更が含まれることが意図される。
【符号の説明】
【００５１】
１  空気清浄機、２  上面パネル、３  フィルター、４  ケーシング、４Ａ  前面パネル、４Ｂ  後面キャビネット、５  把手部、６  表示部、７  フィルターネット、８  フィルター枠、９  フィルター枠の一辺、１０  谷部、１１  フィルターシャフト、１２  突起部分、１３  溝、１４，１４Ａ，１４Ｂ  側面樹脂成型部分、１５  フィルターネットシャフト先端部分、１６  フィルターネット頂点部分、１７，１７Ａ，１７Ｂ  ネット部、１８Ａ，１８Ｂ  フィルター枠縁、１９  フィルター枠縁接合樹脂、２０  フィルター枠頂点部分。
【図１】
2012148259.tif 000003
【図２】
2012148259.tif 000004
【図３】
2012148259.tif 000005
【図４】
2012148259.tif 000006
【図５】
2012148259.tif 000007
【図６】
2012148259.tif 000008
【図７】
2012148259.tif 000009
【図８】
2012148259.tif 000010
【図９】
2012148259.tif 000011
【図１０】
2012148259.tif 000012
【図１１】
2012148259.tif 000013
【図１２】
2012148259.tif 000014
【図１３】
2012148259.tif 000015